(57)【特許請求の範囲】
【請求項１】
電流が流れる導体と、この導体の周りに配設された可動磁性体と、この可動磁性体に対向配置され、前記可動磁性体が接したり離れたりする固定磁性体と、前記可動磁性体と前記固定磁性体に跨るように形成されたループ状の磁束経路内に設置され、前記可動磁性体を前記固定磁性体に吸着保持する永久磁石と、を備え、前記導体に過電流が流れたとき、前記永久磁石による磁束とは反対方向の磁束を発生させ、前記永久磁石による吸着力を減衰させるようにした保持装置であって、前記可動磁性体は、前記導体を流れる電流の方向に対して交差する面に沿うように周方向に形成され、その周方向の所定部に少なくとも一つの切欠き部を備えた磁束経路部を有し、前記固定磁性体は、前記可動磁性体が接触したときに前記可動磁性体の前記切欠き部を短絡し、前記可動磁性体と共同して前記磁束経路部を周方向にループ状に繋ぐように形成されたことを特徴とする保持装置。
【請求項２】
前記可動磁性体及び前記固定磁性体の磁束経路部は、いずれも扇形状または円弧状に形成された板状体からなることを特徴とする請求項１記載の保持装置。
【請求項３】
前記固定磁性体の磁束経路部における周方向の各端部に前記永久磁石が固定され、前記永久磁石の磁極面が前記可動磁性体の磁束経路部における前記切欠き部の周方向端部に接したり離れたりすることが可能に配置されていることを特徴とする請求項２記載の保持装置。
【請求項４】
前記固定磁性体における前記永久磁石の側部に、前記固定磁性体の磁束経路部の表面から突出された爪部が設けられていることを特徴とする請求項３記載の保持装置。
【請求項５】
前記固定磁性体の周方向端部における前記可動磁性体との対向面に前記永久磁石と同一の高さに形成されたバイパス凸部を設け、前記導体に過電流が流れたときに生じる磁束の一部を前記永久磁石に対してバイパスするようにしたことを特徴とする請求項２記載の保持装置。
【請求項６】
前記可動磁性体の磁束経路部は、円弧状の板状体からなり、前記固定磁性体は、その磁束経路を分けて形成した第１分岐経路部及び第２分岐経路部を備え、前記永久磁石は、前記第１分岐経路部及び第２分岐経路部の一方に挿入されていることを特徴とする請求項１記載の保持装置。
【請求項７】
前記永久磁石は、Ｎ極とＳ極を結ぶ方向が前記第１分岐経路部及び第２分岐経路部の他方の磁束経路の方向に平行となるように設置されていることを特徴とする請求項６記載の保持装置。
【請求項８】
前記可動磁性体は、前記切欠き部が複数設けられ、前記磁束経路部が前記切欠き部と同数の磁性体によって周方向に不連続に形成されていることを特徴とする請求項１から請求項７の何れか一項に記載の保持装置。
【請求項９】
請求項１から請求項８の何れか１項記載の保持装置と、前記可動磁性体を前記固定磁性体から離すように設けられた開放部材と、固定接点と、前記可動磁性体に結合され、前記固定接点に対して接したり離れたりするように配置された可動接点とを備えたことを特徴とする開閉器。
【請求項１０】
前記導体を可動導体とし、この可動導体に前記可動磁性体を固定したことを特徴とする請求項９記載の開閉器。
【発明の詳細な説明】
【技術分野】
【０００１】
この発明は、例えば開閉器の接点を閉極保持する場合などに用いられる保持装置及びそれを用いた開閉器に関する。
【背景技術】
【０００２】
従来の開閉器に用いられる保持装置として、接したり離れたりすることが可能な一対の永久磁石及び磁性体と、これらの永久磁石と磁性体とが離れる方向に弾性力を作用させる弾性体とを備え、永久磁石と磁性体との接触面に垂直に電流路の一部を形成したものが知られている。（例えば、特許文献１）
【先行技術文献】
【特許文献】
【０００３】
【特許文献１】特開平４−１０９５３５号公報（第２〜４頁、第１、４図）
【発明の概要】
【発明が解決しようとする課題】
【０００４】
上述のような保持装置にあっては、電流路に流れる過大電流によって磁束が発生し、永久磁石、磁性体間の磁束を弱めて開閉器の接点間保持力を低下させることになるが、特許文献１に開示された磁気回路においては、図１に示されるように過大電流の方向にかかわらず永久磁石による保持力を一部弱め、一部強めるように作用させている。このため、過大電流の作る磁束が永久磁石の磁束に打勝つために有効に作用する割合としては効率が低いという問題点があった。【０００５】
この発明は、上記のような問題を解決するためになされたものであり、過大電流の作る磁束によって永久磁石の磁束に打勝つときの磁束の作用効率が高く、永久磁石による保持力を単調的に減衰させることができる保持装置及びそれを用いた開閉器を提供することを目的としている。
【課題を解決するための手段】
【０００６】
この発明に係る保持装置は、電流が流れる導体と、この導体の周りに配設された可動磁性体と、この可動磁性体に対向配置され、前記可動磁性体が接したり離れたりする固定磁性体と、前記可動磁性体と前記固定磁性体に跨るように形成されたループ状の磁束経路内に設置され、前記可動磁性体を前記固定磁性体に吸着保持する永久磁石と、を備え、前記導体に過電流が流れたとき、前記永久磁石による磁束とは反対方向の磁束を発生させ、前記永久磁石による吸着力を減衰させるようにした保持装置であって、前記可動磁性体は、前記導体を流れる電流の方向に対して交差する面に沿うように周方向に形成され、その周方向の所定部に少なくとも一つの切欠き部を備えた磁束経路部を有し、前記固定磁性体は、前記可動磁性体が接触したときに前記可動磁性体の前記切欠き部を短絡し、前記可動磁性体と共同して前記磁束経路部を周方向にループ状に繋ぐように形成されたことを特徴とするものである。
また、この発明に係る開閉器は、前記の保持装置と、前記可動磁性体を前記固定磁性体から離すように設けられた開放部材と、固定接点と、前記可動磁性体に結合され、前記固定接点に対して接したり離れたりするように配置された可動接点とを備えたことを特徴とするものである。
【発明の効果】
【０００７】
この発明の保持装置によれば、接したり離れたりすることが可能に対向配置された可動磁性体と固定磁性体とを、永久磁石による磁束経路が導体に対してその周りを周方向にループ状に繋ぐように形成し、導体に過大電流が流れたときに生じる磁束を、永久磁石による磁束経路と同じ周方向のループ状にすることで、永久磁石の吸引力を強めることなく減衰させることができ、過大電流の作る磁束が永久磁石の磁束に打勝つための作用効率が高くなる。
また、この発明の開閉器によれば、永久磁石の吸引力を強めることなく減衰させることができ、過大電流の作る磁束が永久磁石の磁束に打勝つための作用効率が高くなる。また、構成を簡素にできるため、操作機構部の小型化が可能となる。
【図面の簡単な説明】
【０００８】
【図１】この発明の実施の形態１に係る保持装置の要部を概念的に示す斜視図である。
【図２】図１における保持装置の可動磁性体と固定磁性体を示す分解斜視図である。
【図３】この発明の実施の形態２に係る保持装置の要部を概念的に示す断面図である。
【図４】この発明の実施の形態３に係る開閉器の要部を概念的に示す断面図である。
【図５】この発明の実施の形態４に係る保持装置の要部を示す斜視図である。
【図６】この発明の実施の形態５に係る保持装置の要部を概念的に示す斜視図である。
【図７】図６における保持装置の要部を概念的に示す斜視図である。
【図８】この発明の実施の形態６に係る保持装置の要部を概念的に示す斜視図である。
【図９】図８における保持装置の側面図である。
【図１０】この発明の実施の形態７に係る保持装置の要部を概念的に示す斜視図である。
【発明を実施するための形態】
【０００９】
実施の形態１．
図１は、この発明の実施の形態１に係る保持装置の要部を概念的に示す斜視図、図２は、図１における保持装置の可動磁性体と固定磁性体を示す分解斜視図である。なお、図２においては、可動導体を省略して示している。
図１において、保持装置は、電流が流れる可動導体１と、この可動導体１の外周に取り付けられ、可動導体１と一体となって可動導体１の長さ方向に移動する板状体からなる可動磁性体２と、可動磁性体２に対して接したり離れたりすることが可能に対向配置された板状体からなる固定磁性体３と、固定磁性体３に取付けられ、可動磁性体２と対向するように固定された永久磁石４とを備えている。また、可動磁性体２は、可動導体１に流れる電流ｉによって生じる磁束Ｂの経路が、該電流の流れる方向に直交する面に沿って形成されるように、ここでは板状の磁束経路部２１が対称的な２つの扇形の円弧状に形成されており、双方の扇の軸に相当する中心部が可動導体１に固定され、扇形状の一方の磁束経路部２１と他方の磁束経路部２１との間には２つの切欠き部２２が形成されている。
【００１０】
さらに、固定磁性体３には、磁束経路部２１と同様に対称的な２つの扇形状の磁束経路部３１が形成されており、この磁束経路部３１は、永久磁石４を介して可動磁性体２に接触したとき、可動磁性体２の切欠き部２２を短絡し、可動磁性体２とともに周方向にループ状の磁束経路を形成するように構成されている。なお、２つの磁束経路部３１は、可動磁性体２の切欠き部２２を個々に繋ぎ、磁束経路部２１が周方向にループ状に形成されるようにする必要上、図２に示すように磁束経路部２１の周方向の中央部に対応する位置に切欠き部３２を設け、周方向が不連続となるように形成されている。
また、永久磁石４は、固定磁性体３における磁束経路部３１の周方向端部に固定され、永久磁石４の磁極面が可動磁性体２の切欠き部２２に隣接する周方向端部に対向するように合計４個設置されている。なお、各永久磁石４は、Ｎ極とＳ極の磁極を周方向に交互に変えて配置され、図１に実線矢印で示すように、永久磁石４による磁束が、可動磁性体２、永久磁石４、固定磁性体３、永久磁石４を順次通過して可動導体１の周りを囲むループ状となるように形成されている。
【００１１】
なお、固定磁性体３を所定箇所に保持する基体や可動導体１を移動可能に保持する保持部材などは図示を省略している。
また、図１において、可動磁性体２は、可動導体１に対してリング状の扇の軸部で結合されているが、両者の結合方法や結合箇所は特に限定されたものではなく、例えば、ねじによる締結や溶接による結合でも良い。
また、可動磁性体２は、板状体を用いて磁束経路部２１を対称的な２つの扇形状に形成した例を示したが、扇形状や周方向の設置個数は、特に限定されるものではなく、例えば、個々のピースの形状は、固定磁性体３と組み合わせたときに可動導体１を囲む形状であればよく、切欠き部２２の対向面を互いに平行にした円弧状、あるいは、中空な四角形の一辺が除かれたＵ字形状としても良い。また、可動磁性体２の周方向の設置個数は、１個または３個以上としても良く、磁束経路部２１の周方向の設置個数と同数とすることになる。
また、固定磁性体３は、ここでは可動磁性体２と同様の板状体によって形成したが、特に板状体に限定されるものではない。また、永久磁石４は、可動磁性体２及び固定磁性体３の端部に位置するように配置しているが、永久磁石４の設置箇所や設置個数は、特に限定されるものではなく、可動磁性体２を固定磁性体３に吸着保持するために十分な磁束を発生することができるものであればよい。
【００１２】
次に、上記のように構成された保持装置の動作について説明する。
まず、永久磁石４によって作られた磁束は、図１に実線矢印で示すように、可動磁性体２、永久磁石４、固定磁性体３を通過し、可動導体１を囲むようなループ状の磁束として形成される。この磁束により、可動磁性体２を永久磁石４に吸引する方向の力を発生させ、可動磁性体２を固定磁性体３に対して吸着保持させることができる。
また、可動導体１に図１に示すような上向きの電流ｉを流せば、この電流ｉの作る磁束は、中抜き破線で示す矢印の方向になる。このとき、可動磁性体２と永久磁石４の接触面において、可動導体１を流れる電流が作る磁束（中抜き破線矢印）は、永久磁石４が作る磁束（実線矢印）と逆向きの関係となり、永久磁石４が作る磁束を弱めることになる。
【００１３】
したがって、可動導体１に短絡電流などの過大な電流が流れると、この過大電流が作る磁束により、永久磁石４の作る磁束が大きく弱められ、可動磁性体２に作用していた永久磁石４の方向への保持力が著しく減衰することになる。なお、過大電流は、短絡電流に限定されるものではない。
このように、可動導体１と一体となって動作する可動磁性体２に永久磁石４の作るループ状の磁束で保持力を働かせることにより、可動導体１に過大な電流が流れた際、可動磁性体２に作用する保持力を効果的に減衰させることができる。また、可動導体１に定格値以下の電流が流れている際も、永久磁石４の作る磁束は、弱められるが、保持装置として必要な保持力を下回る電流値より、十分小さな値を定格電流値として定めておけば問題を生ずることがない。
【００１４】
以上のように実施の形態１によれば、電流が流れる可動導体１と、この可動導体１の外周に設けられた可動磁性体２と、この可動磁性体２が接したり離れたりするように対向配置された固定磁性体３と、この固定磁性体３に取付けられ、可動磁性体２を吸着保持する永久磁石４とを備え、永久磁石４による磁束を可動導体１に直交する面の周方向に沿って固定磁性体３と可動磁性体２とに交互に流し、磁束経路をループ状に形成したため、可動導体１に過大電流が流れたときに生じる磁束によって永久磁石４の吸引力を効果的に減衰させることができ、過大電流の作る磁束が永久磁石４の磁束に打勝つための作用効率を高くすることができる。
また、固定磁性体３と可動磁性体２とを、板状体を用い可動導体１を中心とする対称的な扇形状に形成したため、構造が簡素で製作が容易であり小型化することもできる。
なお、可動磁性体２と固定磁性体３は、可動導体１に直交する面に沿うように設置したが、必ずしも完全に直交した姿勢とする必要はなく、過大電流の作る磁束によって永久磁石４の吸引力を減衰させることができる範囲で交差された姿勢であっても差し支えない。
【００１５】
実施の形態２．
図３は、この発明の実施の形態２に係る保持装置の要部を概念的に示す断面図である。
図において、可動導体１または可動磁性体２には、固定磁性体３との接触状態を開放する方向（矢印Ｆｓ方向）にばね力が作用するように開放部材である開放ばね５が取付けられている。
なお、保持装置の他の基本的な構成は、実施の形態１と同様であり、可動導体１と可動磁性体２とからなる可動部材の任意の箇所に開放ばね５が取付けられている。また、可動部材と開放ばね５との間には、絶縁ロッド（図示せず）等を挿入してもよい。
【００１６】
上記のような構成において、可動導体１に定常電流が流れているとき、可動導体１を流れる電流が作る磁束は、永久磁石４が作る磁束を一部弱めるが、可動磁性体２、永久磁石４間に働く吸引力Ｆｍと、開放ばね５のばね力Ｆｓとは、Ｆｍ＞Ｆｓの関係を満足しており、可動磁性体２は、永久磁石４方向に吸引保持される。一方、可動導体１に過大な電流が流れると、この過大電流による磁束が永久磁石４による磁束を大幅に弱め、永久磁石４の保持力を大きく減衰させる。この結果、可動磁性体２、永久磁石４間に働く吸引力Ｆｍと開放ばね５のばね力Ｆｓとは、Ｆｍ＜Ｆｓの関係となり、可動導体１及び可動磁性体２は、開放ばね５のばね力により固定磁性体３及び永久磁石４から離れる方向に駆動されることになる。
【００１７】
このように構成された実施の形態２によれば、Ｆｓ方向にばね力が蓄勢された開放ばね５を直接または図示していない絶縁ロッドを介して可動導体１または可動磁性体２に連結することにより、可動導体１に過大な電流が流れたとき、この過大な電流により、可動導体１と可動磁性体２とを永久磁石４による吸引力Ｆｍと逆方向に駆動させることができる。
なお、可動導体１に過大な電流が流れたとき、可動磁性体２は、固定磁性体３から離れるが、この場合直ちに電流が遮断されないように設定されていることが好ましい。すなわち、可動磁性体２が固定磁性体３から離れた後も一定時間電流が流れ、その後、可動磁性体２と固定磁性体３との間の距離が十分開いた後に電流が遮断されると、そのときには可動磁性体２に働く吸引力Ｆｍと開放ばねのばね力Ｆｓとは、Ｆｍ＜Ｆｓとなり、直ちに可動磁性体２が固定磁性体３に接触することはない。
さらに、ここでは可動導体１と可動磁性体２からなる可動部材に開放方向のばね力Ｆｓを作用させるため、開放部材としてコイルばねからなる開放ばね５を用いているが、ばねに限定されるものではなく、可動部材に開放方向の力を作用させることが可能な弾性体などであれば、同様に構成することができる。
【００１８】
実施の形態３．
図４は、この発明の実施の形態３に係る開閉器の要部を概念的に示す断面図である。
この実施の形態３においては、実施の形態２における保持装置に接点を組み合わせて開閉器を構成したものである。
すなわち、図４に示すように、可動導体１における開放ばね５接続側の反対側に可動接点６を電気的、かつ、機械的に結合するとともに、この可動接点６に対向して配置された固定接点７を設け、これらの接点６，７により開閉部が構成されている。
なお、図４では図示を省略しているが、上記の保持装置においては、開放ばね５のばね力Ｆｓによって同図左方向へ駆動された可動部を同図右方向へ駆動する投入装置がさらに設けられている。
【００１９】
このような構成のもとで、可動磁性体２が永久磁石４に吸着保持されているとき、可動導体１に結合された開閉部の可動接点６は、固定接点７に接触した状態となり、電気的に接続される。一方、可動導体１に過大な電流が流れると、可動磁性体２及び永久磁石４間に働く吸引力Ｆｍと、開放ばね５のばね力Ｆｓとは、Ｆｍ＜Ｆｓの関係となり、このばね力により、可動磁性体２、可動導体１及び可動接点６は、一体となってＦｓ方向に駆動され、可動接点６が固定接点７から開放されることになる。
【００２０】
上記のように実施の形態３によれば、可動導体１における開放ばね５接続側の反対側に可動接点６を電気的、かつ、機械的に接続するように構成したことにより、可動接点６及び固定接点７間に過大な電流が流れた際、接点６，７間を開放させることができる。また、可動磁性体２と固定磁性体３とは、板状体を用い、可動導体１を中心とする対称的な扇形状に形成したため、構造が簡素で容易に製作することができ、かつ、小型化することもできる。
【００２１】
実施の形態４．
図５は、この発明の実施の形態４に係る保持装置の要部を示す斜視図であり、固定磁性体と永久磁石を示している。なお、図中、可動導体と可動磁性体を省略しているが、基本的な構成は、実施の形態１と同様である。
図５において、永久磁石４は、図２と同様に固定磁性体３の所定の位置に固定される一方、固定磁性体３には、永久磁石４の周方向の両側部から突出して形成された爪部３１１が設けられている。この爪部３１１は、永久磁石４の高さよりも低く形成され、全ての永久磁石４の側端部に突き当たるように配置されており、可動磁性体２と固定磁性体３間の磁気抵抗を低くする役割を果たしている。
【００２２】
このような実施の形態４によれば、可動導体１に過大な電流が流れたとき、この電流により、永久磁石４の磁化方向と逆方向の磁束が作られ、永久磁石４より磁気抵抗の低い爪部３１１に流れようとする。このため、可動導体１を流れる電流が作る磁束によって永久磁石４の減磁作用を低減することができる。
このように、固定磁性体３に永久磁石４を取り囲むように突出された爪部３１１を設けることによって、可動導体１を流れる電流が作る磁束によって永久磁石４の減磁リスクを低減することができる。このため、装置の寿命を延ばすことができる。
【００２３】
実施の形態５．
図６は、この発明の実施の形態５に係る保持装置の要部を概念的に示す斜視図であり、可動導体１、固定磁性体３、及び永久磁石４を示し、可動磁性体２を省略している。図７は、図６に示された保持装置の要部を概念的に示す斜視図であり、可動磁性体２、固定磁性体３、及び永久磁石４を示し、可動導体１を省略している。
図６及び図７において、固定磁性体３に固定された永久磁石４の周方向の一側部には、永久磁石４と同一の高さで固定磁性体３の可動磁性体２に対する対向面から盛り上がるように突出したバイパス凸部３１２が設けられている。
なお、図６に示すように、可動導体１に流れる電流ｉが矢印方向に流れるとき、永久磁石４の磁極は、極性が互い違いとなるよう配置される。
【００２４】
上記の構成においては、可動導体１を流れる電流方向、永久磁石４の極性配置が図６に示す状態で、固定磁性体３に対して可動磁性体２が図７に示すように接触しているとき、永久磁石４の上面とバイパス凸部３１２の上面とは、可動磁性体２の磁束経路部２１の下面に対して同時に突き当たり、図７に示すように可動導体１を流れる電流が作る磁束は、中抜き破線矢印のようになり、永久磁石４の作る磁束は、実線矢印で示すようになる。なお、図示された矢印の太さや向きは、量や強さ、方向を正確に示すものではなく、概念的に表している。したがって、永久磁石４が作る磁束は、図７に示すように、永久磁石４→可動磁性体２（ないしは固定磁性体３とそのバイパス凸部３１２）→バイパス凸部３１２と固定磁性体３（ないしは可動磁性体２）→永久磁石４というループを形成して、可動磁性体２を固定磁性体３に吸着保持する。
【００２５】
一方、可動導体１を流れる電流が作る磁束は、永久磁石４を通過することはなく、可動磁性体２→バイパス凸部３１２・固定磁性体３・バイパス凸部３１２→可動磁性体２→バイパス凸部３１２・固定磁性体３・バイパス凸部３１２の順に通過するループを形成する。
また、図６、図７に示すような構成では、可動導体１を流れる電流が作る磁束と、永久磁石４の作る磁束とは、可動磁性体２と固定磁性体３のバイパス凸部３１２との接触面において逆方向となっており、可動磁性体２と固定磁性体３間の磁気的吸引力を減衰させるように作用している。
【００２６】
以上のように、実施の形態５によれば、固定磁性体３における永久磁石４の固定部分に並列的にバイパス凸部３１２を設けることによって、永久磁石４の作る磁束に対し可動導体１を流れる電流が作る磁束が十分小さい場合には、可動磁性体２は、固定磁性体３に吸着保持され、一方で可動導体１に過大な電流が流れるなどにより可動磁性体２と固定磁性体３のバイパス凸部３１２との接触面において永久磁石４が作る磁束が大きく弱められた際、可動磁性体２と固定磁性体３間に作用する磁気吸引力を減衰することができる。
さらに、可動導体１を流れる電流が作る磁束による永久磁石４の減磁リスクを低減することができるため、装置の寿命を延ばすことができる。
【００２７】
実施の形態６．
図８は、この発明の実施の形態６に係る保持装置の要部を概念的に示す斜視図、図９は、図８に示された保持装置の側面図であり、可動導体１を省略して示している。
なお、この実施の形態６は、図に示すように、固定磁性体３Ａとして、磁束経路を２つのルートに分けた第１分岐経路部３１３及び第２分岐経路部３１４としたブロック状の磁束経路部３１Ａによって形成するとともに、永久磁石４を第１分岐経路部３１３及び第２分岐経路部３１４の何れか一方に挿入するように構成したものである。具体的には、図示していない可動導体１が１つに対し、可動磁性体２及び固定磁性体３Ａは、それぞれ４個ずつのピースによって構成されている。また、永久磁石４は、第１分岐経路部３１３に挿入され、永久磁石４のバイパス路となる第２分岐経路部３１４には磁気抵抗調整部３１４ａが設けられている。なお、板状体からなる可動磁性体２は、他の実施の形態と同様に可動導体１の周りに固定されている。また、図示された矢印の太さや向きは、量や強さ、方向を正確に示すものではなく、概念的に表している。
【００２８】
図８において、可動導体１を流れる電流により形成される磁束が中抜き破線矢印で示す方向に流れるとき、永久磁石４の磁極は、実線矢印に示す方向の極性となるように配置されるものとする。ここで、固定磁性体３Ａを図９に示すように、可動磁性体２に接触する側の第１分岐経路部３１３を含む半分を分路Ａ、その反対側の第２分岐経路部３１４を有する半分を分路Ｂとすると、分路Ｂの第２分岐経路部３１４は、可動導体１を流れる電流が作る磁束が永久磁石４を避けて通り、永久磁石４を減磁しないように設けられている。なお、固定磁性体３Ａには、可動磁性体２における切欠き部２２を挟んで隣り合う板状体の一方に対向された第１接触部３１ａと、この第１接触部３１ａに対して固定側の磁束経路部３１Ａを介して形成され、切欠き部２２を挟んで隣り合う板状体の他方に対向された第２接触部３１ｂとが設けられている。
【００２９】
上記のように構成された実施の形態６によれば、永久磁石４のＮ極から出た磁束で、分路Ａ側に向かうものが可動磁性体２と固定磁性体３Ａ間に吸引保持力を与え、可動導体１に過大な電流が流れたとき、これによる磁束が、可動磁性体２と固定磁性体３Ａの接触部において永久磁石４が作る磁束を弱め、永久磁石４の吸引保持力を減衰させることができる。また、分路Ｂの第２分岐経路部３１４は、磁気抵抗調整部３１４ａの断面積を調整することによって磁気抵抗を永久磁石４より十分低く設計できるとともに、永久磁石４の磁束が第２分岐経路部３１４に流れる量を調整できるため、可動導体１を流れる電流が作る磁束が永久磁石４を通過する量を制御することができる。
すなわち、永久磁石４が減磁されるリスクを低くすることができる。このため、永久磁石４の減磁リスクが少なく、長寿命の保持装置を実現することができるという更なる効果を得ることができる。
【００３０】
実施の形態７．
図１０は、この発明の実施の形態７に係る保持装置の要部を概念的に示す斜視図であり、可動導体１を省略して示している。
この実施の形態７においては、実施の形態６に示した保持装置の固定磁性体３Ａを改良し、永久磁石４を第１分岐経路部３１３に磁極が横向きとなるように、即ち、可動磁性体２及び第２分岐経路部３１４に平行となるように配置した構成としたものである。なお、その他の構成は、実施の形態６と同様であるので、説明を省略する。
【００３１】
上記のように構成された実施の形態７によれば、実施の形態６において永久磁石４を挟む第１分岐経路部３１３が磁気飽和し易い問題を抑制することができる。
なお、磁気飽和を防止する目的であれば、実施の形態６における永久磁石４を挟む第１分岐経路部３１３の磁路を広くする方法もあるが、本構成を用いることにより保持装置を小型化することができる。さらに、加工が簡便となる長所も有している。このように、固定磁性体３Ａを永久磁石４の磁極が横向きに配置できるような形状とすることによって、製造が簡便で、小型な保持装置を実現することができる。
【００３２】
なお、以上の実施の形態においては、可動導体１が可動磁性体２に固定され、可動磁性体２と共に一体的に動作するように構成した場合について説明したが、これに限定されるものではなく、導体を固定したものとし、この導体に対して可動磁性体２を移動可能に支持するように構成しても同様の作用効果を得ることができる。
また、いずれの実施の形態の保持装置も実施の形態３と同様に開閉器に用いることができることは言うまでもない。
なお、この発明は、その発明の範囲内において、各実施の形態の一部または全部を自由に組み合わせたり、各実施の形態を適宜、変形、省略することが可能である。
【符号の説明】
【００３３】
１：可動導体、２：可動磁性体、２１：磁束経路部、２２：切欠き部、３，３Ａ：固定磁性体、３１，３１Ａ：磁束経路部、３１ａ：第１接触部、３１ｂ：第２接触部、３１１：爪部、３１２：バイパス凸部、３１３：第１分岐経路部、３１４：第２分岐経路部、３１４ａ：磁気抵抗調整部、３２：切欠き部、４：永久磁石、５：開放ばね、６：可動接点、７：固定接点。
【要約】
効率よく永久磁石による保持力を減衰させることを目的とし、可動導体（１）の周りに設けられ、固定磁性体（３）に対し接したり離れたりするように配置された可動磁性体（２）と、可動磁性体（２）を固定磁性体（３）に吸着保持する永久磁石（４）とを備え、可動導体（１）に過電流が流れたときに生じる磁束によって永久磁石（４）による吸着力を減衰させる保持装置であって、可動導体（１）を流れる電流の方向に交差するように形成された周方向の可動磁性体（２）の磁束経路部（２１）に切欠き部（２２）を設け、固定磁性体（３）に可動磁性体（２）が接触したとき、固定磁性体（３）によって切欠き部（２２）を短絡して周方向にループ状の磁束経路を形成するようにした。【図１】
0005905174.tif 000002
【図２】
0005905174.tif 000003
【図３】
0005905174.tif 000004
【図４】
0005905174.tif 000005
【図５】
0005905174.tif 000006
【図６】
0005905174.tif 000007
【図７】
0005905174.tif 000008
【図８】
0005905174.tif 000009
【図９】
0005905174.tif 000010
【図１０】
0005905174.tif 000011